(57)【要約】  本発明はポータブル歯科治療台を提供するものである。該ポータブル歯科治療台には下記が含まれる。上部分に形成されたハンドルを有するカバー部と、着脱可能な蝶番を用いることによってカバー部に接続された機械部品とを具備し、該機械部品が下記を有することを特徴とするポータブル歯科治療台。上下部分が開口している、長方形ハウジングの上部分を覆う上部プレートと、上部分が開口しており、該上部プレートの所定の除去部分に配置された長方形機械容器部と、所定の斜平面を有し、該機械容器部の開口上部分に設置された操作パネルであって、該操作パネルが該斜平面に複数の操作ボタンを備えることを特徴とする操作パネルと、摺動部材を用いて該機械容器部の下端部に取り付けられた取付具と、上部分が開口しており、展開可能または折り畳み式の脚部を用いることによって該機械部品に接続された長方形箱部と、該機械部品と該箱部とを連結するために該機械部品と該箱部の前後に設置されたフック。
2007510453.tif 000002
【特許請求の範囲】
【請求項１】
ポータブル歯科治療台であって、上部分に形成されたハンドルを有するカバー部と、着脱可能な蝶番を用いることによってカバー部に接続された機械部品とを具備し、該機械部品が下記を有することを特徴とするポータブル歯科治療台。上下部分が開口している、長方形ハウジングの上部分を覆う上部プレートと、上部分が開口しており、該上部プレートの所定の除去部分に配置された長方形機械容器部と、所定の斜平面を有し、該機械容器部の開口上部分に設置された操作パネルであって、該操作パネルが該斜平面に複数の操作ボタンを備えることを特徴とする操作パネルと、摺動部材を用いて該機械容器部の下端部に設置された取付具と、上部分が開口しており、展開可能または折り畳み式の脚部を用いることによって該機械部品に接続された長方形箱部と、該機械部品と該箱部とを連結するために該機械部品と該箱部の前後に設置されたフック。
【請求項２】
請求項１の歯科治療台であって、該取付具が該機械容器部の下部分と該上部プレートとの間に接続された支持棒によって斜めに設置される該摺動部材上を移動するために設置されていることを特徴とする歯科治療台。
【請求項３】
請求項１または２の歯科治療台であって、該機械容器部における空気、水及び電源を供給するための供給ラインがツールカップリング部に連結されて設置されることを可能にするために、該取付具が少なくとも１つのツール取付開口部を備えることを特徴とする歯科治療台。
【請求項４】
請求項１の歯科治療台であって、該脚部が、径が徐々に小さくなるように形成された段差を有する一対の環状杆を持ち、該環状杆が連接棒によって連結され、該連接棒が脚部ハンドルに接続され、スプリングがそれらの間に挟入されることを特徴とする歯科治療台。
【請求項５】
請求項１の歯科治療台であって、該脚部がＸ形状リンクから構成されていることを特徴とする歯科治療台。
【発明の詳細な説明】
【技術分野】
【０００１】
本発明は、ポータブル歯科治療台に関するものであって、より具体的には、歯科治療機器を容易かつ安全に移動することができ、それによって外部環境においてさえも歯科治療を行うことができるポータブル歯科治療台に関するものである。
【背景技術】
【０００２】
必要に応じた適正なツールの使用は診察と治療にとって不可欠な要素である。従って、歯科医院に設置される多くの機器は一体型で操作できるようになっている。
【０００３】
歯科医院の機器には、主に空気または水が１ツールの一端に供給される必要があり、サクションなどのツールを用いることによって口から唾液または水分を除去する必要もある。
【発明の開示】
【発明が解決しようとする課題】
【０００４】
しかしながら、患者が歯科医院に行くことができないため、または隔絶された場所にいるために歯科医が往診して患者の治療を行う必要がある場合、不適正な機器のために患者の治療に長い時間がかかり、たとえ歯科医が別々の治療機器の幾つかを持参したとしても、優れた治療を行うことができないという問題がある。
【課題を解決するための手段】
【０００５】
従って、本発明は、従来技術の制限及び欠点に起因する１つまたは複数の問題を実質上取り除くことができるポータブル歯科治療台を狙いとするものである。
【０００６】
本発明の目的は、外部環境において優れた歯科治療を行うことができ、歯科医院用ツールを接続するための機械部品が設けられているポータブル歯科治療台であって、該歯科治療台の移動時には機器が保護され得るポータブル歯科治療台を提供することにある。
【０００７】
本発明の追加の特徴及び利点を以下の説明で規定するが、部分的には自明であろうし、本発明の実践をとおして学ぶこともできるであろう。本発明の目的及び他の利点は、本明細書の記述及びその特許請求の範囲、ならびに添付図面において具体的に指摘した構成によって理解実現されるであろう。
【発明の効果】
【０００８】
本発明に係る歯科治療台には、歯科医院用ツールを機械部品に接続することができるため、歯科治療を完璧に行うために歯科医院の歯科医院用ツールと同一の歯科医院用ツールを外部環境においてさえも使用できるばかりでなく、該歯科治療台の移動時には該機器を保護することもできるという効果がある。
【０００９】
本発明の理解をさらに深めるために提供され、本明細書の一部をなす添付図面は、本発明の実施形態を例示し、その記述説明と共に本発明の原理を説明する役割を果たすものである。
【発明を実施するための最良の形態】
【００１０】
ポータブル歯科治療台であって、上部分に形成されたハンドルを有するカバー部と、着脱可能な蝶番を用いることによってカバー部に接続された機械部品とを具備し、該機械部品が下記を有することを特徴とするポータブル歯科治療台。上下部分が開口している長方形ハウジングの上部分を覆う上部プレートと、上部分が開口しており、該上部プレートの所定の除去部分に配置された長方形機械容器部と、所定の斜平面を有し、該機械容器部の開口上部分に設置された操作パネルであって、該操作パネルが該斜平面に複数の操作ボタンを備えることを特徴とする操作パネルと、摺動部材を用いて該機械容器部の下端部に設置された取付具と、上部分が開口しており、展開可能または折り畳み式の脚部を用いることによって該機械部品に接続された長方形箱部と、該機械部品と該箱部とを連結するために該機械部品と該箱部の前後に設置されたフック。
【実施例】
【００１１】
以下に、本発明の好ましい実施形態を添付図面を参照して詳しく記載する。
【００１２】
図１は、本発明の一実施形態に係るポータブル歯科治療台を図解する斜視図であり、図２は、本発明の一実施形態に係るポータブル歯科治療台の使用状態を図解する図であり、そして図３は、本発明の一実施形態に係る取付具に装着されたポータブル歯科治療台を図解する断面図である。
【００１３】
図１〜３を参照すると、該ポータブル歯科治療台には、機械部品１００、箱部２００、及び該機械部品１００の上部分を覆うためのカバー部１５０が含まれる。
【００１４】
該機械部品１００には、上下部分が開口している長方形ハウジングの上部分を覆う上部プレート１０４と、上部分が開口しており、該上部プレート１０４の所定の除去部分に配置された長方形機械容器部１０３と、所定の斜平面を有し、該機械容器部１０３の上部分に設置された操作パネル１０５とが含まれる。該操作パネル１０５の斜平面は複数の操作ボタンを備える。
【００１５】
該機械容器部１０３は、空気及び水が歯科医院用ツールに供給されることを可能にし、任意の単一歯科医院用ツールが使用されているときに空気及び水が任意の単一歯科医院用ツールのみに供給されることを可能にするための制御ブロック及び制御盤を備える。該機械容器部１０３は、２つの高速ハンドピース、１つの低速ハンドピース、１つの歯石除去ツール、及び単に空気及び水を供給するためのツールを１つ備える。また、該機械容器部１０３は、必要に応じて電源供給ラインである一体型供給ライン１２２にも接続される。該供給ライン１２２は該機械容器部に接続される。該供給ライン１２２は、該歯科医院用ツールを装着するためにツールカップリング部（図示せず）が設けられる一端を持つ。さらに、制御ペダル１０２が、ペダルを踏むことによってツールを操作するために接続される。
【００１６】
該取付具１２０は、該摺動部材１２３に沿って滑動するように該摺動部材１２３の端部に配置されている。該摺動部材１２３は、該機械容器部１０３の下端部と該上部プレート１０４との間に接続された支持棒１２４によって斜めに支持される。該取付具１２０は、５つの供給ライン１２２の端部に設置された該ツールカップリング部品（図示せず）を装着するための５つのツール取付開口部１２１を備える。該歯科医院用ツールは、該ツールカップリング部（図示せず）に装着された後、該ツール取付開口部１２１に装着することができる。該カバー部１５０は、該機械部品１００の上部分を覆うために設けられる。
【００１７】
ハンドル１１１が、該歯科治療台を把持して移動するために該カバー部１５０の上部分に設けられる。ダイヤル式ロックユニット１０１が、該カバー部１５０の前面を該機械部品１００の前面に接続してロックするために、該カバー部１５０の前面に設置される。さらに、着脱可能な蝶番（図示せず）が、治療用に該機械部品１００が開口される際に該カバー部１５０を該機械部品１００から完全に引き上げるために、該カバー部１５０の後面と該機械部品１００の後面とを連結する。
【００１８】
長方形トレイ１０８は、治療が行われる際に種々の材料、医薬、ツールなどを載置して使用するために、該上部プレート１０４に載置することができる。
【００１９】
脚部３００が該機械部品１００の両内側面に設置される。該脚部３００は、径が徐々に小さくなるように形成された段差を有する一対の環状杆３０２を備える。該環状杆３０２は連接棒３０３によって連結され、該連接棒３０３は脚部ハンドル３０１に接続され、スプリング３０４がそれらの間に挟入される。該脚部ハンドル３０１が引っ張られると、該環状杆３０２の端部を支持するボール（図示せず）は該脚部３００を展開するために除去される。
【００２０】
該機械部品１００の両内側面に連結した該脚部３００は、該箱部２００の両内側面に接続され固定される。該箱部２００は上部分が開口した長方形状を持つ。該脚部３００が展開されて該機械部品１００に連結すると、該脚部３００は、該供給ライン１２２、該操作ペダル１０２などを収容するための空間を提供する。
【００２１】
２つのフック２０１が、該機械部品１００を該箱部２００とを連結するために、該機械部品１００と該箱部２００の前面と後面にそれぞれ設けられる。
【００２２】
以下、本発明の別の実施形態に係るポータブル歯科治療台を詳細に説明する。
【００２３】
図４は、本発明の別の実施形態に係るポータブル歯科治療台を図解する斜視図である。
【００２４】
図４に示すように、該ポータブル歯科治療台には、同一の該カバー部１５０、該機械部品１００及び該箱部２００が含まれるが、脚部４００は上記の歯科治療台の脚部と異なる。
【００２５】
該脚部４００には可動脚部ケース４０１が下端部に含まれ、Ｘ形状リンクが該機械部品１００の両内側面に固定されるので、該機械部品１００が引き上げられると、該Ｘ形状リンクは回転させられて該機械部品１００を支持する。
【００２６】
したがって、該機械部品１００と該箱部２００とを互いから分離させて該機械部品１００を支持するための手段としては、一般的な種々の展開可能脚部を使用することができる。
【００２７】
上記実施形態の操作状態を、添付図面を参照して詳細に説明する。
【００２８】
図１に示すように、該カバー部１５０、該機械部品１００及び該箱部２００が、該ロックユニット１０１及び該フック２０１によって相互に連動する状態では、該ハンドル１１１は該歯科治療台を所望の場所に移動するために用いられる。該フック２０１が該歯科治療台の前後部で取り外され、次いで該ハンドル１１１が引き上げられる場合には、該脚部３００は自動的に非展開されて固定される。この時点で、該摺動部材１２３に装着され、該機械部品１００に挿入された該取付具１２０は、該歯科治療台が該ツールを装着する準備が整うように重力によって前に前進する。次に、該ダイヤル式ロックユニット１０１が取り外された後、該機械部品１００は該蝶番から取り外されるように該ハンドル１１１を用いて引き上げられ、該トレイ１０８は該上部プレート１０４に載置される。
【００２９】
その後、ホースが供給水に接続され、小型圧縮ポンプが圧縮空気を該歯科治療台に供給するために接続されると、該歯科治療台の準備が完了する。
【００３０】
歯科治療の終了後には、該機械部品１００は、該カバー部１５０を該蝶番（図示せず）に嵌挿することによって覆われ、次いで、該カバー部１５０は該ロックユニット１０１を用いてロックされる。次に、該操作ペダル１０２及び該供給ライン１２２が配設された後、該取付具１２０は該機械部品１００内に押し入れられる。その後、該ハンドル１１１が片手で把持され、該脚部ハンドル３０１が他の片手で引き上げられると、該脚部３００は展開されて該機械部品１００を該箱部２００に連結する。
【００３１】
本発明は、本明細書中でその好適な実施形態を参照して説明及び図解したが、本発明の真の趣旨及び範囲から逸脱することなく種々の修正形態及び変形形態を行い得ることは当業者には明らかであろう。かくして、特許請求の範囲およびその同等物の範囲から逸脱することがない限り、本発明には本発明の修正形態および変形形態が含まれることを意図するものである。
【産業上の利用可能性】
【００３２】
本発明は、外部環境においてさえも優れた歯科治療を行うことができる歯科診察及び治療に適用されるものである。
【図面の簡単な説明】
【００３３】
【図１】本発明の一実施形態に係るポータブル歯科治療台を図解する斜視図。
【図２】本発明の一実施形態に係るポータブル歯科治療台の使用状態を図解する図。
【図３】本発明の一実施形態に係る取付具に装着されたポータブル歯科治療台を図解する断面図。
【図４】本発明の別の実施形態に係るポータブル歯科治療台を図解する斜視図。
【図１】
2007510453.tif 000003
【図２】
2007510453.tif 000004
【図３】
2007510453.tif 000005
【図４】
2007510453.tif 000006
【国際調査報告】
2007510453.tif 000007
2007510453.tif 000008